(57)【特許請求の範囲】
【請求項１】
一対の天板支持パネルを互いに離間させて配置し、その間を天板支持パネル連結材により連結して天板支持ユニットにするとともに、天板支持ユニット上に天板を左右にオーバーハングした状態で載置して左右の天板支持パネル間を下肢空間とするデスクを構成し、各々のデスクの天板の側縁同士を突き合わせた状態でデスク同士をユニット連結材をもって互いに連結し、隣接する天板支持ユニットの天板支持パネル間に棚板を架け渡すことによって、突き合わせた状態で連ねた天板のオーバーハング領域の下方に収納空間を形成したことを特徴とするデスクシステム。
【請求項２】
棚板が左右の天板支持ユニットの天板支持パネル同士を連結する状態で取り付けられる請求項１に記載のデスクシステム。
【請求項３】
天板支持ユニットの天板支持パネルを利用して天板の奥行き方向の一端側又は他端側のいずれにも目隠しパネルを左右の天板支持ユニット同士を連結する状態で取り付け可能として、一端側又は他端側のいずれに目隠しパネルを取り付けるかによって前記収納空間を選択的に外向き収納空間または内向き収納空間となし得るようにしている請求項１又は２に記載のデスクシステム。
【請求項４】
前記天板支持パネル連結材の一つが天板の下肢空間を奥行き方向に仕切る奥行き仕切パネルであって、天板支持パネルに厚み方向の貫通孔を設け、奥行き仕切パネルの側端面を天板支持パネルに突き当てた状態に配して、収納空間側から前記貫通孔に挿入した止着具によって奥行き仕切パネルを天板支持パネルに固定している請求項１〜３のいずれかに記載のデスクシステム。
【請求項５】
前記ユニット連結材の一つがパネル下縁材であり、このパネル下縁材に棚板を下方から支持する支持面を設定している請求項１〜３のいずれかに記載のデスクシステム。
【発明の詳細な説明】
【技術分野】
【０００１】
本発明は、天板下の収納空間を適正化したデスクシステムに関する。
【背景技術】
【０００２】
従来のデスクシステムは、特許文献１に例示されるように、矩形天板を直線状に連ねて大型矩形状テーブルを構成し、複数のワーカーが天板下の下肢空間を用いて着座して執務を行うものが一般的である。かかるデスクシステムでは、対をなす天板支持パネル上に天板を載置して天板支持パネルで天板を支持し、左右の天板支持パネルの間を下肢空間とする構成が通例であり、下肢空間に収納具たるワゴン等を設置して下肢空間の一部に収納空間を配置している。
【先行技術文献】
【特許文献】
【０００３】
【特許文献１】特開２００８−２９５８５３号公報
【発明の概要】
【発明が解決しようとする課題】
【０００４】
しかしながら、上記従来のデスクシステムにおいて天板下に収納空間を形成するためには、ワゴン等の収納具を新たに設置する他、天板支持パネル以外に棚板支持パネルを起立状態で新たに設け、天板支持パネルと棚板支持パネルとの間、若しくは、棚板支持パネル同士の間に棚板を架け渡して収納空間を形成する必要があり、部品点数が増えて製造コストが増大してしまう。
【０００５】
本発明は、このような課題に着目してなされたものであって、その目的は、簡易な構成で天板下に収納空間を形成したデスクシステムを提供することである。
【課題を解決するための手段】
【０００６】
本発明は、かかる目的を達成するために、次のような手段を講じたものである。
【０００７】
すなわち、本発明のデスクシステムは、一対の天板支持パネルを互いに離間させて配置し、その間を天板支持パネル連結材により連結して天板支持ユニットにするとともに、天板支持ユニット上に天板を左右にオーバーハングした状態で載置して左右の天板支持パネル間を下肢空間とするデスクを構成し、各々のデスクの天板の側縁同士を突き合わせた状態でデスク同士をユニット連結材をもって互いに連結し、隣接する天板支持ユニットの天板支持パネル間に棚板を架け渡すことによって、突き合わせた状態で連ねた天板のオーバーハング領域の下方に収納空間を形成したことを特徴とする。
【０００８】
このように、デスクの天板同士を突き合わせて棚板を配するだけで隣接する下肢空間同士の間を有効利用して収納空間を簡易な構成で形成することができ、部品点数を削減して製造コストを低減させることが可能となる。
【０００９】
隣接する天板支持ユニットの連結強度を向上させるためには、棚板が左右の天板支持ユニットの天板支持パネル同士を連結する状態で取り付けられることが望ましい。
【００１０】
収納空間の利用形態の自由度を確保するためには、天板支持ユニットの天板支持パネルを利用して天板の奥行き方向の一端側又は他端側のいずれにも目隠しパネルを左右の天板支持ユニット同士を連結する状態で取り付け可能として、一端側又は他端側のいずれに目隠しパネルを取り付けるかによって前記収納空間を選択的に外向き収納空間または内向き収納空間となし得るようにしていることが好ましい。
【００１１】
収納空間を奥行き仕切パネルを取り付けるための作業空間として有効利用するためには、前記天板支持パネル連結材の一つが天板の下肢空間を奥行き方向に仕切る奥行き仕切パネルであって、天板支持パネルに厚み方向の貫通孔を設け、奥行き仕切パネルの側端面を天板支持パネルに突き当てた状態に配して、収納空間側から前記貫通孔に挿入した止着具によって奥行き仕切パネルを天板支持パネルに固定していることが効果的である。
【００１２】
天板支持ユニット同士の連結強度を高めつつ棚板の荷重を適切に支持するためには、前記ユニット連結材の一つがパネル下縁材であり、このパネル下縁材に棚板を下方から支持する支持面を設定していることが好ましい。
【発明の効果】
【００１３】
本発明のデスクシステムは、以上説明した構成であるから、デスクの天板同士を突き合わせて棚板を配するだけで隣接する下肢空間同士の間を有効利用して収納空間を簡易な構成で形成することができ、部品点数を削減して製造コストを低減させることが可能となる。
【図面の簡単な説明】
【００１４】
【図１】本発明の一実施形態のデスクシステム全体を示す斜視図。
【図２】同デスクシステムを構成するデスク及びデスク同士の連結部位を模式的に示す斜視図。
【図３】同デスクの扇形天板の連結部分を示す斜視図。
【図４】同デスクシステムの扇形天板下の構成を模式的に示す平面図。
【図５】図４におけるＡ１−Ａ１部位断面図。
【図６】図４におけるＡ２−Ａ２部位断面図。
【図７】図４におけるＡ３−Ａ３部位断面図。
【図８】図４におけるＡ４−Ａ４部位断面図。
【図９】同実施形態における扇形天板を構成する天板本体や配線蓋周辺を示す構成図。
【図１０】同実施形態における扇形天板を構成する天板本体や配線蓋周辺を示す構成図。
【図１１】同実施形態において扇形天板の卓上空間を仕切る左右仕切パネルの取り付け部を示す構成図。
【図１２】同デスクシステムを構成する湾曲パネルの製法に関する説明図。
【図１３】図４におけるＡ７−Ａ７部位断面図。
【図１４】本発明の他の実施形態に係る天板下の構成を示す構成図。
【発明を実施するための形態】
【００１５】
以下、本発明の一実施形態を、図面を参照して説明する。
【００１６】
図２に示すように、本発明の一実施形態のデスクシステムＤＳを構成するデスクＤは、扇形天板１と、この扇形天板１を支持する天板支持ユニット２とを主体とするもので、天板支持ユニット２は、互いに離間して放射状に配置された一対の天板支持パネル２０・２０（天板支持パネル２０・２０は扇形天板１の中心回りに放射状に配置されている）と、対をなす天板支持パネル２０・２０を連結する天板支持パネル連結材３とを含んで構成され、天板支持ユニット２上に扇形天板１を左右にオーバーハングした状態で載置することで左右の天板支持パネル２０・２０間に下肢空間Ｐを形成している。なお、図５〜図８に示すように、天板支持パネル２０の下端面２０ａの奥行き方向（放射方向）両端部に脚部２０ｓが設けられている。
【００１７】
デスクシステムＤＳは、図１、図２及び図４に示すように、複数のデスクＤを組み合わせてなるもので、各々のデスクＤの扇形天板１の側縁１ｅ同士を突き合わせた状態で扇形天板１を連ねて少なくとも一箇所が途切れた環状テーブルとし、デスクＤ同士をユニット連結材４により互いに連結して構成されている。環状テーブルを構成する扇形天板１のうち端部となる扇形天板１下には、内向き収納空間Ｓ２が形成されているとともに、この扇形天板１下の空間を側方から隠蔽可能な対をなすエンドパネル７３・７３が取り付けられて、環状テーブルの外部と内部との出入り口が構成されている。詳細は後述する。
【００１８】
デスクシステムＤＳは、ワーカーが外周側に向かって執務するように環状テーブルの内周縁１ｂを使用縁に設定している。図１では、環状テーブルの内周に円卓等のテーブルＴを配置して複数ワーカーで簡易会議を行えるようにしている。このデスクシステムＤＳでは、図４に示すように、連ねた扇形天板１下が放射方向に配置した天板支持パネル２０によって湾曲方向に沿って複数の区画（例えばＫ１〜Ｋ７）に仕切られ、湾曲方向に沿って一つおきの区画（Ｋ２，Ｋ４，Ｋ６）に下肢空間Ｐが構成されているとともに、他の区画の一部（Ｋ１，Ｋ３，Ｋ７）の外周側に開放された外向きの収納空間Ｓ１が形成され、他の残りの区画（Ｋ５）の内周側に開放された内向きの収納空間Ｓ２が形成されている。これら外向きの収納空間Ｓ１及び内向きの収納空間Ｓ２は、図２に示すように扇形天板１のオーバーハング領域Ａｒの下方に、隣接する天板支持ユニット２の天板支持パネル２０間に棚板５０を架け渡すことによって形成されている。すなわち、図２及び図４に示すように、一つの執務範囲は一枚の扇形天板１毎に設定され、隣り合う執務範囲の境界である天板１の側端１ｅの突合せ係合部（オーバーハング領域Ａｒ）の下の収納空間（Ｓ１，Ｓ２）を配置している。天板執務範囲の下方はイスに座った執務者の下半身が位置する下肢空間Ｐである、下肢空間Ｐと収納空間（Ｓ１，Ｓ２）は天板支持パネル２０で仕切られている。この天板支持パネル２０は、下肢空間Ｐを挟んで対をなして向かい合っているとともに、収納空間（Ｓ１，Ｓ２）を挟んで対をなして向かい合っている。なお、収納空間（Ｓ１，Ｓ２）に配置される棚板５０を取り外して、ワゴンを入れるという使用態様も可能である。
【００１９】
具体的に説明すると、図２、図４〜図７に示すように下肢空間Ｐを形成する左右の天板支持パネル２０・２０の間には、天板支持パネル連結材３の一つとして扇形天板１の外周縁１ｃに沿った形状の幕板とも呼ばれる奥行き仕切パネル３０が配置されて下肢空間Ｐを奥行き方向に仕切っている。天板支持パネル２０のうち奥行き仕切パネル３０を取り付ける部位には、図２に示すように、厚み方向に貫通する貫通孔２０ｈが設けられており、奥行き仕切パネル３０の側端面３０ｅを天板支持パネル２０の貫通孔２０ｈに突き当てた状態に配置して、収納空間Ｓ１（Ｓ２）側から貫通孔２０ｈに挿入したボルトやネジ等の止着具ｖｏにより奥行き仕切パネル３０を天板支持パネル２０に固定している。この奥行き仕切パネル３０は、図４〜図６に示すように、左右の天板支持パネル２０が奥行き仕切パネル３０よりも外方（外周側）に延出するように天板支持パネル２０の外周縁２０ｃから内周側に離間した位置に配置されており、図５及び図６に示すように、左右の天板支持パネル２０と奥行き仕切パネル３０とで部分的に囲まれる位置において左右の天板支持パネル２０・２０間に板材５１を架け渡すことにより外向きの物品載置空間Ｓ３を形成している。この物品載置空間Ｓ３は、上記外向き収納空間Ｓ１に対し第二の外向き収納空間とも言える。この物品載置空間Ｓ３を形成する板材５１は、天板支持パネル２０に設けた図示しない孔等の取付部に取り付けたフックに載置されて保持されている。この物品載置空間Ｓ３を形成する板材５１は、図５及び図６に例示するように、載置する物品や用途に応じて設置数やその高さ位置が適宜設定されている。勿論、物品載置空間Ｓ３を形成する板材５１をボルトやネジ等の止着具を介して天板支持パネル２０に固定して板材５１を天板支持パネル連結材３として用いてもよい。この場合、天板支持ユニット２の連結強度を向上させることが可能となる。なお、奥行き仕切パネル３０は、扇形天板１の外周縁１ｃに沿って湾曲した形状をなしているが、奥行き仕切パネルを湾曲しない面状のものにしてもよい。
【００２０】
また、対をなす天板支持パネル２０・２０の間には、図６に示すように、天板支持パネル連結材３の一つとして扇形天板１の外周縁に沿った形状のパネル下縁材である巾木３１が配置され、この巾木３１によって左右の天板支持パネル２０・２０の外周縁２０ｃ且つ下端部同士がネジ等の止着具を介して連結されている。この巾木３１は、上記の物品載置空間Ｓ３を形成する板材５１の下端面５１ａをその上面３１ｄで支持して、板材５１に載置される物品の荷重を支持している。この巾木３１は、床と板材５１の境目となる継ぎ目で、板材５１の最下部に取り付けられる細い横板であり、汚れたり壊れたりしやすい板材５１の下部を保護するものである。
【００２１】
本実施形態のデスクシステムＤＳには、図４に示すように、上記物品載置空間Ｓ３が複数箇所に形成されているが、一部の物品載置空間Ｓ３については、図４及び図５に示すように、奥行き仕切パネル３０の外方（外周側）に、扇形天板１の外周縁１ｃに沿った形状をなす外側パネル３２を着脱可能又は開閉可能に天板支持パネル２０に取り付けることで物品載置空間Ｓ３の外周側を閉止し、物品載置空間Ｓ３を奥行き方向のいずれの方向からも隠蔽している。この外側パネル３２は、図５に示すように例えば天板１下の配線空間Ｓ４と物品載置空間Ｓ３とを電気的に接続するコンセントタップＣＴや配線Ｌｉ等の目隠し材として利用可能である。この物品載置空間Ｓ３を形成する板材５１には、図５に示すように、配線Ｌｉを通すための上下方向の貫通口５１ｈが形成されている。
【００２２】
図５〜図８に示すように、天板支持ユニット２を構成する起立した天板支持パネル２０・２０同士間には、扇形天板１よりも低い位置に扇形天板１に対向する配線棚６０がその湾曲方向側端を天板支持パネル２０に突き当てた状態で配置され、扇形天板１と配線棚６０との間に配線空間Ｓ４が形成されている。また、扇形天板１の外周縁１ｃに沿って湾曲する板状の湾曲ビーム６１が扇形天板１の外周縁１ｃを包囲し且つ扇形天板１の高さ位置を含む高さ位置に扇形天板１との間に所定隙間を隔てた状態に配置されており、天板支持パネル２０の外周縁２０ｃが湾曲ビーム６１に突き当てられた状態で図示しないＬ字ブラケットやボルト等の止着具を介して湾曲ビーム６１が天板支持パネル２０に固定されている。そして、扇形天板１の外周縁１ｃ及び配線棚６０の外周縁６０ｃを湾曲ビーム６１に突き当てた位置関係にすることで、湾曲ビーム６１が配線空間Ｓ４を外周側から隠蔽する配線隠しの役割を果たすとともに、扇形天板１の厚みを隠す目隠し材としての役割を果たすようにしている。勿論、本実施形態では、扇形天板１の上面及び下面の高さ位置を含む高さ位置に湾曲ビームを配置しているが、配線空間Ｓ４を外周側から遮蔽するために、扇形天板１の下面の高さ位置を含む高さ位置に湾曲ビームが配置されていればよく、例えば扇形天板１の上面の高さ位置を含まず扇形天板１の下面の高さ位置を含む高さ位置に配置してもよい。すなわち、湾曲ビームが扇形天板１の下面よりも下がっていなければよい。
【００２３】
湾曲ビーム６１は、図５に示すように、上記の物品載置空間Ｓ３の外周側を閉止する外側パネル３２と同一曲率で形成されて、外側パネル３２と略面一な状態に配置されている。この配線空間Ｓ４は、図４〜図８に示すように、扇形天板１、配線棚６０、左右の天板支持パネル２０及び湾曲ビーム６１で包囲された空間であって天板支持パネル２０によって左右に分断された状態にある。配線棚６０は、図５及び図６に示すように、奥行き仕切パネル３０よりも外方（外周側）にオーバーハングしており、左右の天板支持パネル２０・２０、板材５１及び奥行き仕切パネル３０で囲まれる物品載置空間Ｓ３を上方から遮蔽している。勿論、本実施形態で述べた配線棚６０を設けない構成では、扇形天板１を奥行き仕切パネル３０よりも外方（外周側）にオーバーハングさせて扇形天板１によって物品載置空間Ｓ３を上方から遮蔽するように構成してもよい。また、本実施形態では、扇形天板１は、左右一対の天板支持パネル２０に対して、その左右外方及び内周側（使用縁側）の合わせて三方向に大きくオーバーハングしているが、外周側（反使用縁側）にもオーバーハングさせて例えば外側オーバーハング領域の下に書架等を設ける構成も考えられる。この場合でも、扇形天板１のオーバーハング量は、左右外方及び内周側（使用縁側）の三方向の方が外周側（反使用縁側）よりも大きくなる。
【００２４】
扇形天板１は、図５〜図８に示すように、起立した天板支持パネル２０の上面（２０ｄ１，２０ｄ２）のうち使用縁側（内周側）の一部の載置面２０ｄ１にオーバーハング状態で載置される天板本体１０と、天板本体１０の反使用縁側（外周側）に略面一に連続して配置される配線蓋１１とを含んで構成され、配線蓋１１の反使用縁側（外周側）の端部１１ｃが配線隠しである湾曲ビーム６１に閉じられている構造をなしている。図９（ａ）及び図９（ｂ）に示すように、天板本体１０の一部である外周縁１０ｃを開口縁Ｋｅとして湾曲ビーム６１との間に開口Ｋｏを形成し、天板本体１０下に形成される配線空間Ｓ４を天板本体１０上方に開口Ｋｏを介して開放可能に構成している。
【００２５】
配線蓋１１は、図９に示すように、天板本体１０の外周縁１０ｃ（開口縁Ｋｅ）と同じ曲率で円弧状に湾曲した湾曲縁部として内周側縁部（内周縁１１ｂ）及び外周側縁部（外周縁１１ｃ）を有する扇形をなしており、開口Ｋｏを閉止する位置ｐｏ１に着脱可能に配置されている。具体的には、図９に示すように、反使用縁側（外周側）の端部（外周縁１１ｃ）を自由端として使用縁側（内周縁１１ｂ側）に設定された支点Ｃ１回りに上下方向に回転により開閉可能にヒンジ等の回転支持部１１ｇを介して天板本体１０の外周縁１０ｃに取り付けられている。すなわち、配線蓋１１の内周側に設定した被支持部（内周縁１１ｂ）と天板本体１０に設定した支持部（外周縁１０ｃ）とが回転支持部１１ｇを介して接続されて、配線蓋１１の被支持部（内周縁１１ｂ）が天板本体１０の支持部（外周縁１０ｃ）に支持されることで、配線蓋１１により閉止される配線用の開口Ｋｏを開閉可能にしている。回転支持部１１ｇは、配線蓋１１の内周円弧１１ｂの途中二箇所に設けられている。一般的な直線状の配線蓋を回転可能に構成した場合には、配線蓋の側端又はその近傍に設定された支点回りに回転することになるものの、本実施形態では、配線蓋１１が円弧状に湾曲していることによって配線蓋１１のうち回転支持部１１ｇ同士の間の部位の回転支点Ｃ１が配線蓋１１の内周端から更に内周側に変位した位置となり、直線状の配線蓋に比して回転半径が広がる。この場合、同じ回転角度であっても直線状や矩形状の配線蓋に比べて配線空間Ｓ４への開口が広くなる。このように配線蓋１１を円弧状に形成し、内周側に設定した二箇所の回転支持部１１ｇを結ぶ回転軸Ｃ１回りに外周側を自由端として回転させることで、閉止位置ｐｏ１において配線蓋１１が天板本体１０下の配線空間Ｓ４を上方から遮蔽し、開成位置ｐｏ２において直線状の配線蓋に比して配線蓋１１が閉止位置ｐｏ１から大きく退避させることが可能となる。この結果、配線空間への配線の出し入れが容易となる。また、配線蓋１１の湾曲縁部（内周円弧１１ｂ）の途中二箇所を天板本体１０に支持させた状態で回転させながら片開きしているので、配線蓋１１の部位によって上にあがる部位と下に下がる部位が生じ、配線蓋１１の両側端部を二点支持する場合に比べて重心移動が少ないので動作が軽くなり、開けやすくしている。また、配線蓋１１の湾曲縁部の途中二箇所を支持しているので、配線蓋の両側端部を二点支持する場合に比べて配線蓋に必要な剛性を下げて配線蓋を軽量化することができるとともに、単純な軸受構造で支持することを可能としている。
【００２６】
配線蓋１１は、図５、図９（ｂ）及び図１０（ｂ）に示すように、面板部１１ｘの湾曲縁部たる内周縁１１ｂから下方（天板支持パネル２０側）に延びる垂下部１１ｙが形成されて断面略Ｌ字状をなしており、樹脂の一体成型により作製される。配線蓋１１は、面板部１１ｘの厚み方向寸法Ｗ１を天板本体１０の厚み方向寸法Ｗ２よりも小さく設定することにより、面板部１１ｘの下面１１ａと天板支持パネル２０の上面２０ｄ２（載置面２０ｄ１以外の上面）との間に閉止位置ｐｏ１において天板支持パネル２０で仕切られる左右の配線空間Ｓ４同士を連絡する横配線用隙間ＳＸが形成される状態で配線蓋１１が取り付けられている。図１３に示すように、各々のデスクＤの天板本体１０の下方且つ対をなす天板支持パネル２０の間には第一の配線空間Ｓ４ａ（Ｓ４）が形成され、突き合わせ状態で連ねた天板本体１０のオーバーハング領域Ａｒの下方に第二の配線空間Ｓ４ｂ（Ｓ４）が形成されており、これら第一の配線空間Ｓ４ａ及び第二の配線空間Ｓ４ｂは、天板支持パネル２０で分断される構造であるものの、閉止位置ｐｏ１において横配線用隙間ＳＸが形成されることによって、図１０（ｂ）に示すように配線蓋１１を開けた状態で天板支持パネル２０の上面（２０ｄ１，２０ｄ２）のうち天板本体１０が載置される載置面２０ｄ１以外の上面２０ｄ２を乗り越えるように配線Ｌｉを引き回し、その後に配線蓋１１を閉めても配線蓋１１と配線Ｌｉとが干渉せず、横配線用隙間ＳＸを介して一方の天板本体１０下の配線空間Ｓ４から他方の天板本体１０下の配線空間Ｓ４に配線を引き回し可能にしている。この場合、天板支持パネル２０に横配線用の貫通孔や切り欠き等を設ける必要がない。そして、図１３に示すように、連ねた天板本体１０下の第一及び第二の配線空間Ｓ４ａ・Ｓ４ｂを一連の配線空間として複数の天板本体１０に亘って配線Ｌｉを引き回す利用形態を実現している。よって、例えば或るデスクＤの近くに電力線や通信線等のコンセントがない場合でも他のデスクＤから配線Ｌｉを引き回して利用することを可能にしている。
【００２７】
配線蓋１１には、図９（ｂ）に示すように、垂下部１１ｙに静止面１１ｙｂが設定されており、配線蓋１１が閉止位置ｐｏ１にあるときに静止面１１ｙｂを天板本体１０の外周端面１０ｃに突き当てる（接触する）ことで、配線蓋１１の下方に向かう回転動作を規制し、閉止位置ｐｏ１から開成位置ｐｏ２への開き動作のみを許容し、配線蓋１１の閉止位置ｐｏ１を規定する閉止位置規定部１１ｚを構成している。この閉止位置規定部１１ｚによって配線蓋１１に荷重が作用しても配線蓋１１が下方に回転せず、配線蓋１１の上面１１ｄと天板本体１０の上面１０ｄとにズレが生じることを抑制又は防止している。
【００２８】
また、閉止位置ｐｏ１において配線蓋１１の垂下部１１ｙの下面１１ｙａを天板支持パネル２０の上面２０ｄ２で支持するように、配線蓋１１と天板支持パネル２０との位置関係を規定し、配線蓋１１に作用する荷重を天板支持パネル２０の上面２０ｄ２で支持するように構成してある。この結果、天板本体１０と同様に配線蓋１１に対して物品を載置しても適切に荷重が支持され卓上領域を広げて有効利用することが可能となる。
【００２９】
配線蓋１１の反使用縁側（外周側）の端部１１ｃには、図９（ａ）及び図１０（ａ）に示すように、軟質樹脂１２が取り付けられており、配線蓋１１が閉止位置ｐｏ１にある場合に、配線蓋１１と配線隠したる湾曲ビーム６１との間に配置された軟質樹脂１２によって配線蓋１１と湾曲ビーム６１との間の配線空間Ｓ４の開口を閉止するとともに、一部を弾性変形させることにより閉止状態で扇形天板１の上方から配線空間Ｓ４への配線の引き回しを可能としている。配線蓋１１の反使用縁側（外周側）の端部１１ｃには、反使用縁側（外周側）に向けて開口し外周側に向かって幅狭となる取付溝部１１ｍが配線蓋１１の外周縁１１ｃ全域に亘って形成されており、軟質樹脂１２を配線蓋１１の側方から湾曲方向にスライドさせながら取付溝部１１ｍに挿入することで、接着剤や取り付け具を要することなく軟質樹脂１２を配線蓋１１に取り付けている。なお、本実施形態では、配線蓋１１は、上下方向に回転により開閉可能に構成されているが、その他の態様として着脱可能にすることや、配線蓋を湾曲方向に沿ったスライドにより開閉可能にすることが挙げられる。スライド開閉する場合には、湾曲方向に沿った左右の配線蓋の曲率を同じにすることで、配線蓋を左右（湾曲方向）に重ねるようにスライドさせることが可能となる。この場合、配線蓋をスライド動作させるためのガイドレールを蓋の上面又は下面に設けると、蓋の端部を押すだけで円滑なスライド動作を実現することが可能となる。
【００３０】
図２の扇形天板１（天板本体１０）の内周縁１ｂ（１０ｂ）には、図５〜図８に示すように、外周側から内周側に向けて幅狭に形成され且つ扇形天板１の内周縁１ｂに沿う形状に形成された弾性変形可能な扇形エッジ部材１３が、環状の中心方向に突出するように扇形天板１の内周縁１ｂに取り付けてあり、図１及び図２に示すように、扇形天板１を連ねた場合に扇形エッジ部材１３同士が円環に沿って突き合わせた状態となる。このように、扇形エッジ部材１３が扇形であると、内周側に張り出した部位に荷重が作用しても直線エッジ部材に比して載置荷重を受けた際に扇の内周縁径が変化する方向すなわち上下方向へ撓みにくくなり、例えばアームレスト等の用途に適した荷重に対する強度を確保している。
【００３１】
扇形天板１は、図３に示すように、側縁１ｅ同士を突き合わせた状態で連結されるが、各々の側縁部１ｅの下面に対をなす連結凹部１ｇを設け、一方の扇形天板１の連結凹部１ｇから他方の扇形天板１の連結凹部１ｇまで貫通する連結孔１ｈが形成されており、ユニット連結材４の一つである図示しないボルト等の止着具をこの連結孔１ｈに通して両扇形天板１同士を固定している。
【００３２】
湾曲ビーム６１の上部には、図５〜図８に示すように、上方に開口する上溝部６１ｍが形成されており、図２に示すように、可燒性のあるデスクトップパネル７０をこの上溝部６１ｍに嵌め込んで係り合せることで、デスクトップパネル７０を弾性により湾曲させた状態で扇形天板１の外周縁１ｃに沿って起立させて配置している。各デスクＤ毎に一枚のデスクトップパネル７０を起立させて、各々の側縁７０ｅ同士を突き合わせた状態で配置することで図１に示すように扇形天板１の外周縁１ｃに沿って周回するデスクトップパネル７０を分割構造で構成している。このデスクトップパネル７０には、一部又は全部に半透明な素材を用いて、又は、すりガラスのように半透明になる表面処理が施されて、扇形天板１上の書類に対する機密性が守られるとともに、デスクトップパネル７０同士の継ぎ目を目立たなくなるようにしてある。
【００３３】
デスクトップパネル７０の上縁には、図１及び図２に示すように、湾曲ビーム６１と同一曲率の湾曲カバー部材７１を設け、この湾曲カバー部材７１に湾曲方向に沿って形成された下方に開口する下溝部７１ｍにデスクトップパネル７０の上端を嵌め込んで係り合わせることで、平板状のデスクトップパネル７０を湾曲カバー部材７１及び湾曲ビーム６１と同じ曲率で簡単に湾曲させることができ、この湾曲状態を湾曲ビーム６１及び湾曲カバー部材７１が保持している。上記の湾曲ビーム６１及び湾曲カバー部材７１はアルミ押出しで精度良く作れる。この湾曲カバー部材７１には、湾曲方向沿って複数のＬＥＤを配列したライン照明を設けており、ライン照明７１Ｓに電力を供給するための電力線が湾曲方向に沿って湾曲カバー部材７１に内蔵してある。湾曲カバー部材７１の側縁部７１ｅには、隣接する湾曲カバー部材７１の電力線又はライン照明７１Ｓ同士を接続するオス型又はメス型のコネクタが配置されており、これらコネクタ同士を嵌め合いにより係り合わせることで湾曲カバー部材７１同士の連結強度を向上させている。
【００３４】
図２に示すように、扇形天板１のオーバーハング領域Ａｒの下方に棚板５０を用いて収納空間Ｓ１（Ｓ２）を形成する天板支持パネル２０・２０の間には、図４、図７及び図８に示すように、ユニット連結材４の一つとして扇形天板１の湾曲方向に沿った形状の収納空間仕切パネルとも呼ばれる目隠しパネル８０が配置されて、収納空間Ｓ１（Ｓ２）を奥行き方向に仕切っている。この目隠しパネル８０は、扇形天板１の奥行き方向の一端側（内周側）又は他端側（外周側）のいずれにも左右の天板支持ユニット２同士を連結する状態で取り付け可能にされている。この目隠しパネル８０は、扇形天板１のオーバーハング領域Ａｒ下の空間を内周側又は外周側のいずれかを閉止する位置で図示しないＬ字ブラケットやボルト等の止着具を介して天板支持パネル２０に固定される。図４及び図８に示すように、扇形天板１のオーバーハング領域Ａｒ下の空間の奥行き方向の内方（内周側）を閉止する位置ｉｎに目隠しパネルを取り付けた場合には、収納空間が外周側に開放される外向き収納空間Ｓ１となる一方で、図４及び図７に示すように、奥行き方向の外方（外周側）を閉止する位置ｏｕｔに目隠しパネルを取り付けた場合には、収納空間が内周側に開放される内向き収納空間Ｓ２となる。このように目隠しパネル８０を内周側又は外周側のいずれに取り付けるかによって収納空間を選択的に外向き収納空間Ｓ１または内向き収納空間Ｓ２となし得るようにしている。図２、図７及び図８に示すように、天板支持パネル２０間に架け渡される棚板５０は、天板支持パネル２０に設けた図示しない孔等の取付部に取り付けたフックに載置されて保持される。この収納空間を形成する棚板５０は、収納する物品や用途に応じて設置数やその高さ位置が適宜設定されている。勿論、棚板５０をボルト等の止着具を介して天板支持パネル２０に固定して棚板５０をユニット連結材４として用いてもよい。この場合、デスクＤ同士（天板支持ユニット２同士）の連結強度を向上させることが可能となる。図７に示すように、内向き収納空間Ｓ２の外周側に配置される目隠しパネル８０（ｏｕｔ）は、上記の湾曲ビーム６１と同一曲率で形成されて、湾曲ビーム６１と略面一な状態に配置されている。なお、外周側に配置される目隠しパネル８０（ｏｕｔ）は、湾曲ビーム６１と同一曲率で形成されているが、内周側に配置される目隠しパネル８０（ｉｎ）は、湾曲しない面状のものにしてもよい。
【００３５】
また、図７及び図８に示すように、天板支持パネル２０・２０同士の間には、ユニット連結材４の一つとして扇形天板１の湾曲方向に沿った形状のパネル下縁材である巾木４１が配置され、この巾木４１によって天板支持パネル２０の外周端２０ｃ（又は内周端２０ｂ）且つ下端部同士がネジ等の止着具を介して連結されている。この巾木４１は、上面を支持面４１ｄに設定してあり、上記の収納空間を形成する棚板５０の下端面５０ａを支持面４１ｄで支持して、棚板５０に加わる荷重を支持している。この巾木４１は、床と棚板５０の境目となる継ぎ目で、棚板５０の最下部に取り付けられる細い横板であり、汚れたり壊れたりしやすい棚板５０の下部を保護するものである。
【００３６】
扇形天板１を連接することで構成される環状テーブルは、図１及び図４に示すように、少なくとも一箇所が途切れたものであり、環状テーブルを構成する扇形天板１のうち端部に位置する扇形天板１同士の間は連結されていない。これら扇形天板１の側端１ｅは、天板支持パネル２０とほぼ同様の構成をなす端部支持パネル７２で支持されており、互いに対向する端部支持パネル７２及び天板支持パネル２０との間に上記と同様に内向き収納空間Ｓ２がハーフサイズで形成されている。この内向き収納空間Ｓ２を形成する構成は上記と同様であるので説明を省略する。
【００３７】
また、端部に位置する扇形天板１下の空間を側方から隠蔽可能なエンドパネル７３・７３が対をなして取り付けてある。これら対をなすエンドパネル７３・７３は、図１及び図４に示すように、鉛直方向の軸回りに回転可能にデスクＤ（端部支持パネル７２等）に取り付けられて、第一の回転位置ｐｏ３において各々のデスクＤの扇形天板１下の空間を側方から隠蔽し、各々のエンドパネル７３の先端７３ｅ同士を突き合わせた状態となる第二の回転位置ｐｏ４において環状テーブルの外部と内部とを遮蔽する開閉扉としての役割を果たしている。勿論、エンドパネル７３・７３を開閉可能に構成せず、図３に示す扇形天板１同士を連結するための上記連結孔１ｈを用いてボルト等の止着具でエンドパネル７３と扇形天板１とを連結するように構成してもよい。
【００３８】
デスクＤ同士の連結部分には、図１１に示すように、扇形天板１の卓上空間を湾曲方向に仕切る左右仕切パネル７４が取り付け可能に構成されている。左右仕切パネル７４は、扇形天板１に取り付けられる仕切パネル受け部７５と、湾曲カバー部材７１に取り付けられる仕切パネル押さえ部７６とにより固定される。仕切パネル受け部７５は、下方に向けて延びる鍔部７５ａを突き合わせた扇形天板１の側端１ｅ同士で挟み込むことで扇形天板１に取り付けられ、左右仕切パネル７４の下端部を厚み方向両側から挟み込む挟持側壁７５ｂ・７５ｂ及び左右仕切パネルの内周端に係り合う挟持内壁７５ｃによって左右仕切パネル７４を保持する構造をなしている。仕切パネル押さえ部７６は、下方に開口する断面コの字をなす押さえ部７６ａで左右仕切パネルの上端を保持しつつ、湾曲カバー部材にネジ等の止着具ｖｏで固定される。
【００３９】
上記の奥行き仕切パネル３０や外側パネル３２、巾木３１、巾木４１、湾曲ビーム６１等の湾曲した湾曲パネルＰＬを製造するにあたり、図１２（ａ）に示すように、板金加工等によって矩形状のベース面ＰＬ１の側端の起立壁ＰＬ２に切り欠きＰＬａを設けることで湾曲を可能としたパネルＰＬに対し、ベース面ＰＬ１に型Ｄｉを当てながらベース面ＰＬ１を湾曲させて湾曲パネルＰＬを作製するのが通例であるが、図１２（ｃ）に示すように、起立壁ＰＬ２における一端から他端に亘って切り欠きＰＬａを設けると、外部から切り欠きＰＬａが視認可能となり美観を損なってしまう。そこで、図１２（ｂ）に示すように、起立壁ＰＬ２においてベース面ＰＬ１側の端部に１mm程の余白ＰＬｂを残して切り欠きＰＬａを形成することで、外部から切り欠きＰＬａが視認されて美観を損なうことを退避している。
【００４０】
以上のように、本実施形態のデスクシステムＤＳは、一対の天板支持パネル２０・２０を互いに離間させて配置し、その間を天板支持パネル連結材３により連結して天板支持ユニット２にするとともに、天板支持ユニット２上に扇形天板１（天板）を左右にオーバーハングした状態で載置して左右の天板支持パネル２０・２０間を下肢空間ＰとするデスクＤを構成し、各々のデスクＤの扇形天板１の側縁１ｅ同士を突き合わせた状態でデスクＤ同士をユニット連結材４をもって互いに連結し、隣接する天板支持ユニット２の天板支持パネル２０・２０間に棚板５０を架け渡すことによって、突き合わせた状態で連ねた扇形天板１のオーバーハング領域Ａｒの下方に収納空間Ｓ１（Ｓ２）を形成している。
【００４１】
このように、デスクＤの天板１同士を突き合わせて棚板５０を配するだけで隣接する下肢空間Ｐ同士の間を有効利用して収納空間Ｓ１（Ｓ２）を簡易な構成で形成することができ、部品点数を削減して製造コストを低減させることが可能となる。すなわち、天板１が天板支持パネルより左右に延出するので、広い天板面を構成し易く、天板１同士の連結の際にもデスクＤ単位で持ち運びを容易にすることが可能となる。また、例えば天板支持ユニット２の天板支持パネル２０が棚板５０の支持部を兼ねることで部品点数の削減も図れるうえ、天板１をオーバーハング状態で天板支持ユニット２に載置することで天板支持パネル２０同士が重複してスペースが無駄に狭まることを回避することが可能となる。
【００４２】
また、本実施形態では、棚板５０が左右の天板支持ユニット２の天板支持パネル２０・２０同士を連結する状態で取り付けられることで、棚板５０がユニット連結材４として用いられるので、棚板５０によって隣接する天板支持ユニット２の連結強度を向上させることが可能となる。
【００４３】
さらに、本実施形態では、天板支持ユニット２の天板支持パネル２０を利用して扇形天板１（天板）の奥行き方向の一端側（内周側）又は他端側（外周側）のいずれにも目隠しパネル８０を左右の天板支持ユニット２同士を連結する状態で取り付け可能として、一端側（内周側）又は他端側（外周側）のいずれに目隠しパネル８０を取り付けるかによって収納空間を選択的に外向き収納空間Ｓ１または内向き収納空間Ｓ２となし得るようにしているので、収納空間の利用形態の自由度を確保することが可能となる。すなわち、図２に示すように収納空間Ｓ１（Ｓ２）は天板１の奥行き方向のいずれにも開放可能であるので、奥行き方向を仕切る目隠しパネル８０の取付位置に応じて、例えば収納空間を外向き収納空間や内向き収納空間にしたり、目隠しパネル８０を奥行き方向の中央部に配置して外向き収納空間及び内向き収納空間の双方を形成したりする等、収納空間の形態を自由に選択することが可能となる。しかも、目隠しパネル８０をユニット連結材４として用いて左右の天板支持ユニット２同士を連結するので、隣接する天板支持ユニット２の連結強度を高めることが可能となる。
【００４４】
加えて、本実施形態では、天板支持パネル連結材３の一つが扇形天板１（天板）の下肢空間Ｐを奥行き方向に仕切る奥行き仕切パネル３０であって、天板支持パネル２０に厚み方向の貫通孔２０ｈを設け、幕板たる奥行き仕切パネル３０の側端面３０ｅを天板支持パネル２０に突き当てた状態に配して、収納空間Ｓ１（Ｓ２）側から貫通孔２０ｈに挿入した止着具ｖｏによって幕板たる奥行き仕切パネル３０を天板支持パネル２０に固定しているので、収納空間Ｓ１（Ｓ２）を、奥行き仕切パネル３０（幕板）を取り付けるための作業空間として有効利用でき、幕板の取付作業の効率を向上させて製造コストを低下させることが可能となる。
【００４５】
その他、本実施形態では、ユニット連結材４の一つがパネル下縁材たる巾木４１であり、このパネル下縁材たる巾木４１に棚板５０を下方から支持する支持面４１ｄを設定しているので、パネル下縁材たる巾木４１によって天板支持ユニット２同士の連結強度を高めることが可能となり、且つ、棚板５０の荷重を適切に支持することが可能となる。
【００４６】
なお、各部の具体的な構成は上述した実施形態のみに限定されるものではなく、本発明の趣旨を逸脱しない範囲で種々変形が可能である。
【００４７】
例えば、本実施形態では、外向き収納空間Ｓ１は外周側に開放された状態であるが、図８において想像線で示すように、外向き収納空間Ｓ１の外周側を閉止可能な位置に扇形天板１の外周縁１ｃに沿った形状の湾曲外側パネル３３を着脱可能又は開閉可能に設け、湾曲外側パネル３３を閉止状態で湾曲ビーム６１と略面一になるように構成してもよい。このように構成すると、外観を損なうことなく、外向き収納空間Ｓ１の外周側を閉止する湾曲外側パネル３３を設けることが可能となる。すなわち、外向き収納空間Ｓ１に収納される被収納物を外周側から遮蔽して見栄え（外観）を向上させるとともに、外向き収納空間Ｓ１への防塵効果を期待でき、併せて、湾曲外側パネルと湾曲ビームとの略面一な位置関係により全体として統一感を得ることが可能となる。
【００４８】
また、本実施形態では、配線蓋１１は、天板１の上方と天板１下方にある配線空間Ｓ４との間を遮蔽する位置で上下方向への回転により開閉するものであるが、配線棚６０すなわち配線空間Ｓ４を形成せずに天板１下に物品載置空間Ｓ３を配置すると、配線蓋が天板の上方と天板下方にある物品載置空間との間を遮蔽する位置に上下方向への回動により開閉可能な蓋となる。この場合、物品載置空間にある物品を上方から遮蔽して上方からの見栄え（外観）を向上させることが可能となる。
【００４９】
さらに、本実施形態では、配線蓋１１は、外周縁１１ｃを自由端として内周縁１１ｂ側に設定された支点Ｃ１回りに回転により開閉可能に構成されているが、逆に内周縁１１ｂを自由端として外周縁１１ｃに設定された支点回りに回転により開閉可能に構成してもよい。また、本実施形態では、軟質樹脂１２を配線蓋１１に取り付けているが、軟質樹脂１２を湾曲ビーム６１に取り付けてもよい。さらに、本実施形態では、配線蓋１１と湾曲ビーム６１との間に軟質樹脂１２を配置しているが、配線蓋１１と天板本体１０との間に軟質樹脂１２を配置してもよい。この場合、軟質樹脂は配線蓋１１又は天板本体１０のいずれに取り付けてもよい。
【００５０】
さらにまた、本実施形態では、天板支持パネル２０に外側パネル３２及び奥行き仕切パネル３０を取り付けて、外側パネル３２及び奥行き仕切パネル３０の間に物品載置空間Ｓ３を形成しているが、図１３（ａ）及び図１３（ｂ）に示すように、奥行き仕切パネル３０の代わりに、上部の中央部１３０ｅを切り欠いた状態にした奥行き仕切パネル１３０をその両側端面３０ｅを天板支持パネル２０に固定することで、使用縁側（内周側）から下肢空間Ｐを介して物品載置空間Ｓ３に対して鞄等の物品を出し入れ可能に構成してもよい。また、図１３（ｃ）に示すように、物品載置空間Ｓ３を形成する板材５１に対して奥行き仕切パネル２３０をスライド丁番を介して開閉可能に取り付けることで使用縁側（内周側）から下肢空間Ｐを介して物品載置空間Ｓ３に対し鞄等の物品を出し入れ可能に構成してもよい。この構成によれば、天板下の空間を使用に適した状態で有効に利用することが可能となる。
【００５１】
本実施形態では、天板が扇形であるが、天板の形状は扇形に限定されるものではなく、例えば略矩形状の天板にも適用可能である。
【００５２】
その他、各部の具体的な構成は、上述した実施形態のみに限定されるものではなく、本発明の趣旨を逸脱しない範囲で種々変形が可能である。
【符号の説明】
【００５３】
１…扇形天板（天板）
１ｅ…扇形天板の側縁
２…天板支持ユニット
２０…天板支持パネル
２０ｈ…貫通孔
３…天板支持パネル連結材
３０…奥行き仕切パネル
４…ユニット連結材
４１…巾木（パネル下縁材）
４１ｄ…支持面
５０…棚板
８０…目隠しパネル
ＤＳ…デスクシステム
Ｄ…デスク
Ｐ…下肢空間
Ａｒ…オーバーハング領域
Ｓ１…外向き収納空間（収納空間）
Ｓ２…内向き収納空間（収納空間）
ｖｏ…止着具
【図１】
0005574334.tif 000002
【図２】
0005574334.tif 000003
【図３】
0005574334.tif 000004
【図４】
0005574334.tif 000005
【図５】
0005574334.tif 000006
【図６】
0005574334.tif 000007
【図７】
0005574334.tif 000008
【図８】
0005574334.tif 000009
【図９】
0005574334.tif 000010
【図１０】
0005574334.tif 000011
【図１１】
0005574334.tif 000012
【図１２】
0005574334.tif 000013
【図１３】
0005574334.tif 000014
【図１４】
0005574334.tif 000015